(57)【特許請求の範囲】
【請求項１】
先端及び基端を有し前記先端側を管腔内に挿入する挿入部における基端側に設けられた把持するための把持部と前記挿入部の基端との間に設けられた流体流通口金に対し、着脱可能に接続する接続部と、
前記接続部に連設され、前記流体流通口金の軸方向に沿って設けられる第１の管状部と、
前記第１の管状部に接続されると共に、該第１の管状部の軸方向に対して交差する方向に延出する、前記流体流通口金を通過した流体が流通する流路を備える第２の管状部と、
前記流路の途中に設けられ、回動により前記流路の連通と遮断を行うことにより前記流体の通過乃至不通過の状態を切り替える切替弁と、
前記切替弁に立設され、該切替弁を回動させるとともに、前記流体流通口金に対して前記把持部側に位置するように取り付けられる操作レバーと、
を備えることを特徴とする管路開閉装置。
【請求項２】
前記操作レバーの先端側に延伸して設けられて、前記操作レバーを時計回りに回動させる外部からの力を受ける第１の受け部と、前記操作レバーから分岐して設けられ、前記操作レバーを反時計回りに回動させる外部からの力を受ける第２の受け部と、が対向して配置される二股構造を含む指当部を備えることを特徴とする請求項１に記載の管路開閉装置。
【請求項３】
前記操作レバーの先端側に設けられて、リング又は凹面を有するいずれかの形状を成し、前記切替弁を回動させる外部からの力を受ける第３の受け部を含む指当部を備えることを特徴とする請求項１に記載の管路開閉装置。
【請求項４】
前記操作レバーは、Ｌ型形状を成し、前記切替弁から立設して延出する柱形状の第１のレバー部と、前記第１のレバー部から屈曲して延伸する第２のレバー部とを含み、
前記指当部は、前記第２のレバー部の先端側に設けられることを特徴とする請求項３に記載の管路開閉装置。
【請求項５】
前記切替弁は、前記操作レバーの回動する角度範囲を規定して、前記流路が連通する状態と前記流路を遮断する状態との切替を行う回動角度規制部を更に備えることを特徴とする請求項１に記載の管路開閉装置。
【請求項６】
先端及び基端を有し、前記先端側を管腔内に挿入する挿入部と、
前記挿入部の基端側に設けられ、操作者が把持するための把持部と、
前記挿入部の基端と前記把持部との間に設けられる流体流通口金と、
前記挿入部の先端に設けた開口部から前記流体流通口金まで連通した流体授受管路と、
前記流体流通口金と接続する請求項１に記載の管路開閉装置と、
を備えることを特徴とする挿入システム。
【発明の詳細な説明】
【技術分野】
【０００１】
本発明は、内視鏡の挿入部に取り付けられて、吸引の際に管路を切り換える管路開閉装置及び管路開閉装置を備える挿入システムに関する。
【背景技術】
【０００２】
一般に、生体内に挿入された内視鏡装置の処置具で処置を行った場合、処置時に発生した体液、洗浄液や除去した生体組織などの吸引対象物は、挿入部内のチャンネルによりユニバーサルコードを通じて又は、シース等に設けられた吸引用チューブに吸引され、所定の容器に収容されている。【０００３】
しかし、生じる吸引対象物において、出血量が多い場合や、凝血した血の塊が大きかった場合には、通常の吸引では、発生量に対する吸引量不足や、吸引流路の詰まりの発生に対して対応できない。そこで、別途、ポンプを鉗子栓口金（鉗子ポート）に接続して、手動のバルブ操作により、鉗子チャンネルを通じて、吸引して排出している。例えば、特許文献１には、挿入部に並設したシースと管路切り替え弁機構（切替弁付き鉗子挿入アダプタ）が提案されている。この切替弁付き鉗子挿入アダプタは、挿入部の基端側に設けられた鉗子栓口金部分に取り付けられて、手動のレバー操作により切替弁が切替られて、チャンネルを通じて吸引され、生体外に排出されている。
【先行技術文献】
【特許文献】
【０００４】
【特許文献１】特開平１１−１５５８０７号公報
【発明の概要】
【発明が解決しようとする課題】
【０００５】
前述した内視鏡の鉗子栓口金に取り付けられている切替弁は、内視鏡本体の操作部の下方に取り付けられる。このため、操作部を把持している一方の手では、操作レバーに指が届かず、開閉操作を行うことができない。【０００６】
このため、操作者は、自身で操作する場合には、挿入部を操作している他方の手を離して、開閉操作しなければならない。その他方の手を離した際に、挿入部の支えがなくなり挿入部の先端位置が移動してしまうと、観察視野が変わってしまう事態が想定され、その場合には、元の観察視野に戻す手間が発生する。また、観察視野が大きく外れた場合には、元の位置に戻さないと、切替操作による吸引を開始することができない。この観察視野の移動を防止するためには、近傍のスタッフ等に操作レバーの開閉作業を依頼しなければならない。  
【課題を解決するための手段】
【０００７】
本発明は、操作者が単独で容易に管路の切替作業を行うことができる管路開閉装置及び、管路開閉装置を備える挿入システムを提供する。  
本発明に従う実施形態の管路開閉装置は、先端及び基端を有し前記先端側を管腔内に挿入する挿入部における基端側に設けられた把持するための把持部と前記挿入部の基端との間に設けられた流体流通口金に対し、着脱可能に接続する接続部と、前記接続部に連設され、前記流体流通口金の軸方向に沿って設けられる第１の管状部と、前記第１の管状部に接続されると共に、該第１の管状部の軸方向に対して交差する方向に延出する、前記流体流通口金を通過した流体が流通する流路を備える第２の管状部と、前記流路の途中に設けられ、回動により前記流路の連通と遮断を行うことにより前記流体の通過乃至不通過の状態を切り替える切替弁と、前記切替弁に立設され、該切替弁を回動させるとともに、前記流体流通口金に対して前記把持部側に位置するように取り付けられる操作レバーと、を備える。  
さらに実施形態の挿入システムは、管腔内に挿入する挿入部と、前記挿入部に取り付けられ操作者が把持するための把持部と、前記把持部に取り付けられる流体流通口金と、前記挿入部に設けた開口部から前記流体流通口金まで連通した流体授受管路と、前記流体流通口金と接続する管路切替装置と、を備える。
【発明の効果】
【０００８】
本発明によれば、操作者が単独で容易に、管路の切替作業を行うことができる管路開閉装置及び、管路開閉装置を備える挿入システムを提供することができる。
【図面の簡単な説明】
【０００９】
【図１】図１は、第１の実施形態に係る管路開閉装置が取り付けられた挿入部を有する内視鏡装置の外観構成を示す図である。
【図２】図２は、第１の実施形態に係る管路開閉装置の外観構成例を示す図である。
【図３】図３は、分解された切替部本体の構成例を示す図である。
【図４】図４は、第２の実施形態に係る管路開閉装置の外観構成例を示す図である。
【図５】図５は、第３の実施形態に係る管路開閉装置の外観構成例を示す図である。
【図６】図６は、第４の実施形態に係る管路開閉装置の外観構成例を示す図である。
【図７】図７は、第５の実施形態に係る管路開閉装置の可動範囲制限部の外観構成例を示す図である。
【図８Ａ】図８Ａは、第６の実施形態に係る管路開閉装置の可動範囲制限部の外観構成例を示す図である。
【図８Ｂ】図８Ｂは、管路開閉装置を上方から見た断面構成を示す図である。
【発明を実施するための形態】
【００１０】
以下、図面を参照して本発明の実施形態について詳細に説明する。  
［第１の実施形態］  
図１は、第１の実施形態に係る管路開閉装置が取り付けられた挿入部を有する内視鏡装置（挿入システム）の外観構成を示す図である。  
本実施形態の内視鏡装置は、大別して、挿入部４を含む内視鏡本体（挿入機器）１と、移動可能なトロリー２に搭載された内視鏡用機器７とで構成される。本実施形態は、生体の体腔といった管腔内を観察する軟性鏡を例として説明するが、硬性鏡においても同様に搭載することができる。
【００１１】
内視鏡本体１は、先端及び基端を有し、観察対象となる管腔内に、その先端側を挿入される挿入部（可撓管）４と、挿入部４の先端に設けられた湾曲部５と、挿入部４の基端側に設けられ、湾曲部５を湾曲動作させる挿入部４の各種機能を操作する操作部３と、で構成される。挿入部４の先端つまり湾曲部５の先端面には、撮像ユニットと、鉗子孔等のチャンネル［流体授受管路］の開口部と、洗浄用ノズル及び吸引用ノズル等とが設けられている。また、操作部３は、操作者が把持する把持部３ａを備え、操作部３における把持部３ａの先端側には、挿入部４の基端が例えば折れ止め等の部材を介して接続されている。
【００１２】
内視鏡用機器７は、観察対象部位に照射する照明光を生成する光源装置と、撮像された映像信号に所定の画像処理を施すビデオプロセッサと、映像信号を観察画像として表示するモニタと、入力部であるキーボード等とで構成される。
【００１３】
さらに、トロリー２の支柱には、洗浄等に用いられる洗浄液を貯留するボトル１０が着脱可能に取り付けられている。また、内視鏡用機器７の内部には、図示しない送気ポンプユニットが配置されている。さらに、トロリー２の棚には、挿入部の先端に配置された洗浄ノズルから管腔内に噴出された洗浄のための液体や気体、血液を含む体液及び、除去した小片の生体組織を、通常時に吸引する吸引ユニット８が設けられている。
【００１４】
内視鏡本体１と光源ユニットは、ユニバーサルコード６でコネクタ接続されている。ユニバーサルコード６は、光ファイバーからなるライトガイドの他に、映像信号等を伝送する複数の信号線、チューブからなる気体及び液体の供給路（送気送液チャンネル）及び排出路を含んでいる。ユニバーサルコード６の内視鏡用機器７側に接続するコネクタは、信号線とチューブとライトガイドに分岐して、それぞれの構成部に接続している。
【００１５】
また、操作部３の先端側の開口部、つまり把持部３ａと挿入部４の基端との間に設けた鉗子栓の口金部［流体流通口金部３ｂ]には、本実施形態の管路開閉装置１１が取り付けられており、吸引チューブ２２を通じて、外部吸引ポンプ２１に接続されている。本実施形態では、運用方法として、処置開始から処置終了までは、外部吸引ポンプ２１を駆動状態（吸引動作状態）に維持し、必要に応じて管路開閉装置１１における弁切替操作を行い、吸引状態と非吸引状態とに切り換えることを想定している。
【００１６】
図２は、第１の実施形態に係る管路開閉装置１１の外観構成例を示している。図３は、分解された切替部本体１４の構成例を示している。  
この管路開閉装置１１は、鉗子栓の口金部３ｂに着脱可能に取り付けられている接続部１２と、一端に接続部１２により口金部に水密に連結され、他端が鉗子栓１３で締められている主管路［第１の管状部］となるＴ型管１７と、吸引動作の切替を行う切替部本体１４と、吸引チューブ２２に接続するため接続管１５と、切替部本体１４に取り付けられた操作レバー１６と、で構成される。この管路開閉装置１１は、滅菌や洗浄可能であれば、材料としては限定されていないが、本実施形態では、樹脂材料またはステンレスやステンレス合金等の金属材料で形成されている。
【００１７】
接続部１２は、口金部３ｂに嵌合され、パッキン等を利用して水密に取り付けられている。また、口金部３ｂにネジ山を形成して、螺着より取り付けることも可能である。切替部本体１４には、内部を貫通する流路が形成されており、流入口側１４ｂにＴ型管１７の分岐管１７ａが固定され、流出口側１４ｃに接続管１５が固定される。本実施形態では、Ｔ型管１７の分岐管１７ａ、切替部本体１４及び接続管１５により、外部に漏れ出ない水密な流路［第２の管状部］が形成されている。この流路内面は、鏡面研磨等を施し、流路抵抗を減少させて、滅菌しやすくしてもよい。接続管１５の先端側は、吸引チューブ２２を繋ぐために、環状の凸部が連設される差し込み部１５ａが設けられている。
【００１８】
図３に示すように、切替部本体１４は、上方から内部の流路を分断するように、円筒形状に孔１４ａが開口されて、栓部２４［切替弁］が回動自在に嵌め込まれている。栓部２４は、分岐管１７ａ及び接続管１５の流路内径と同等の内径で、栓部２４を貫通する流路２５が形成され、底部２４ｃが先細りの円錐台形状を成している。栓部２４の上部には、栓外周よりも外側に張り出した鍔部２４ａが形成され、栓部上面には操作レバー［流体切替レバー］１６の基部１６ｃが立設されている。鍔部２４ａには、水平方向に突起する突起部２４ｂが形成されている。
【００１９】
本実施形態の操作レバー１６は、基部１６ｃから略直角に折れ曲がったＬ型に延びる主レバー部［第１のレバー部］１６ａと、主レバー部１６ａから二股に分岐して、略直角に折れ曲がったＬ型で主レバー部１６ａと平行してアーム部が延びる副レバー部［第２のレバー部］１６ｂとで構成される。主レバー部１６ａ及び副レバー部１６ｂにより、コの字型又はＵ字型の指当部１６ｄを構成している。
【００２０】
図２には、操作部３を把持する手（ここでは、左手が図示されている）の小指の指先が指当部１６ｄ内に入り、主レバー部１６ａに指が掛かった状態を示している。切替部本体１４には、孔１４ａに嵌装された操作レバー１６の回動範囲（回動角度）を規定するための可動範囲制限部２６が設けられている。この可動範囲制限部２６は、突起部２４ｂをストッパとして機能させるための段差状の切り欠きであり、孔１４ａに繋がる扇形の平面を有し、両側の制限壁２６ａ，２６ｂにより可動範囲が制限されている。
【００２１】
これらの制限壁２６ａ，２６ｂのいずれか一方、例えば制限壁２６ａに突起部２４ｂが当接した際に、栓部２４の流路２５と、Ｔ型管１７及び接続管１５の流路を繋ぐ（切替弁の開状態）ことで、貫通流路を形成して最大限（１００％）の吸引量を可能とする。他方、突起部２４ｂが制限壁２６ｂに当接した際に、栓部２４が例えば９０°回転して流路２５が形成されていない栓周面がＴ型管１７及び接続管１５の流路を塞ぐ（切替弁の閉状態）ことで、流路が遮断される。制限壁２６ａと制限壁２６ｂは、基本的には、操作レバー１６が全開状態又は、全閉状態の使用を想定しているため、一例として栓部２４の回動角度を９０°（点線で示す貫通流路の軸方向を０°とする）に設定している。尚、突起部２４ｂが制限壁２６ａと制限壁２６ｂの間にある場合は、Ｔ型管１７及び接続管１５の流路の開口面に対して、栓部２４の回動した角度に応じて流路２５の開口面が増減しているため、吸引量が調整可能である。
【００２２】
本実施形態では、小指の指先が指当部１６ｄ内に入り、副レバー部１６ｂを指で押し退けてCW方向に回し、突起部２４ｂを制限壁２６ａに押し当てることにより、吸引を実施する。また、主レバー部１６ａを指で引き付けてCCW方向に回し、突起部２４ｂを制限壁２６ｂに押し当てることにより、吸引を終了させる。この例において、操作レバー１６を指で引き付けることで閉状態になるように設定しているのは、緊急性を伴う場合に、指の動きが即座に応答して操作しやすいためである。さらに、本実施形態では、主レバー部１６ａと副レバー部１６ｂとを同じアーム長としたが、主レバー部１６ａの方を長く形成して、切替弁を閉じる際に、より指が掛かりやすくさせることも可能である。  
本実施形態では、Ｕ型又はコ型のアーム形状を例としているが、アーム部の直線部分に円弧を持たせた特に図示しないＣ型の形状であってもよい。
【００２３】
以上説明したように、本実施形態の管路開閉装置１１は、操作部３を操作している手を把持状態のままで、指を延ばして管路開閉装置１１の開閉操作、即ち管路の切替操作を行い、吸引を実施することができる。従って、従来のように、挿入部４を把持しているもう片方の手を離して操作レバー１６の切替操作を行う必要がなくなり、観察視野の不本意な移動を防止することができる。また、近傍のスタッフ等に操作レバーの開閉作業を依頼せずに済み、操作者自身によって所望するタイミングで開閉することができ、又その開閉加減により吸引量をも調整することができる。
【００２４】
［第２の実施形態］  
図４には、第２の実施形態に係る管路開閉装置１１の外観構成例を示している。  
本実施形態の管路開閉装置１８は、図１に示す構成部位と同じ構成部位を用いており、同じ参照符号を付して、詳細な説明は省略する。
【００２５】
図１に示した構成に対して、製造時に切替部本体１４に固定されるＴ型管１７及び接続管１５の位置を入れ替えた構成である。この構成により、図１に示した第１の実施形態の管路開閉装置１１に対して、操作レバー１６の回動方向が水平方向から垂直方向に変更される。
【００２６】
本実施形態は、小指の指先を指当部１６ｄ内に入れて、主レバー部１６ａを指で押してCW方向に回し、突起部２４ｂを制限壁２６ａに押し当てることにより、吸引を実施する。また、副レバー部１６ｂを指で引き付けてCCW方向に回し、突起部２４ｂを制限壁２６ｂに押し当てることにより、吸引を終了させる。この例においても、レバーを指で引き付けることで閉状態になるように設定し、緊急性を伴う場合に、即座に応答して操作しやすくしている。
【００２７】
本実施形態によれば、前述した第１の実施形態と同等の作用効果を得ることができる。さらに、同等な構成部位で、操作レバー１６の回動方向を垂直方向に変更することができるため、操作者の好みに合った操作を実現することができる。
【００２８】
［第３の実施形態］
図５には、第３の実施形態に係る管路開閉装置１１の外観構成例を示している。  
本実施形態の管路開閉装置２７は、図１に示す構成部位と同じ構成部位構成部位に対しては、同じ参照符号を付して技術的特徴となる異なる構成部位について詳細に説明する。
【００２９】
本実施形態は、操作レバ−１６がＬ型の主レバー部１６ａと、主レバー部１６ａの先端部分に固定される突き当て部２８とで構成される。操作レバ−１６の回動方向は、前述した第１の実施形態の操作レバー１６と同等で有り、略水平方向に回動させている。勿論、第２の実施形態と同様に、製造時に切替部本体１４に固定されるＴ型管１７及び接続管１５の位置を入れ替えることで、操作レバ−１６の回動方向を変更することができる。
【００３０】
突き当て部２８は、角柱形状であり、指が当接する面が円筒状の凹面に形成される。その凹面に指先を宛がい、指で凹面を押してCW方向に回動させて、突起部２４ｂを制限壁２６ａに押し当てることにより、吸引を実施する。又は、指を突き当て部２８の凹面に押しつけて手前に引くようにCCW方向に回動させて、突起部２４ｂを制限壁２６ｂに押し当てることにより、吸引を終了させる。突き当て部２８の凹面の深さは、設計事項で有り、製造組み立て時に、操作者の使い勝手により選択させてもよい。例えば、突き当て部２８と突き当て部２８の取り付け箇所をネジ構造の螺着による固定方式で作製し、深さの異なる凹面が形成された複数の突き当て部２８を予め用意しておいてもよい。さらに、突き当て部２８の凹面上に多数の小突起や溝等を形成して、滑り止め加工を施してもよい。
【００３１】
以上のように、本実施形態によれば、突き当て部２８の凹面は深さが浅いため、Ｕ字型の操作レバーに比べて、指先が瞬時に且つ安易に凹面に対して当接する及び離脱することができ、レスポンスの早い開閉操作が可能である。また、本実施形態においても、前述した第１の実施形態と同等の作用効果を奏することができる。
【００３２】
［第４の実施形態］
図６には、第４の実施形態に係る管路開閉装置２９の外観構成例を示している。  
本実施形態の管路開閉装置２９は、図１に示す構成部位と同じ構成部位に対しては、同じ参照符号を付し、技術的特徴となる異なる構成部位について詳細に説明する。  
本実施形態は、操作レバ−１６がＬ型の主レバー部１６ａと、主レバー部１６ａの先端部分に固定される指掛け部３０とで構成される。
【００３３】
操作レバ−１６の回動方向は、前述した第１の実施形態の操作レバー１６と同等で有り、略水平方向に回動させている。勿論、第２の実施形態と同様に、製造時に切替部本体１４に固定されるＴ型管１７及び接続管１５の位置を入れ替えることで、操作レバ−１６の回動方向を変更することができる。
【００３４】
指掛け部３０は、リング形状であり、指先をリング内に差し入れて操作する。まず、操作部３を把持している手の指先（例えば、小指）を指掛け部３０のリング内に差し入れて、指で指掛け部３０を押し出してCW方向に回動させて、突起部２４ｂを制限壁２６ａに押し当てることにより、吸引を実施する。又は、指を指掛け部３０に差し入れて手前に引くようにCCW方向に回動させて、突起部２４ｂを制限壁２６ｂに押し当てることにより、吸引を終了させる。
【００３５】
図６においては、真円で平坦な面のリング形状を示しているが、制限されるものではなく、外形（枠形）が任意の楕円形状であってもよいし、また断面も矩形だけではなく、断面形状が円径や楕円形であってもよい。リングの内径においても、製造時に、予め異なる内径の複数の指掛け部３０を準備しておき、操作者の指にあった径を選択することも可能である。さらに、図６においては、指掛け部３０のリング面が操作レバ−１６の回動方向と平行になるように記載されているが、操作者の指が入り易いように傾きを設けてもよい。
【００３６】
以上のように、本実施形態によれば、指掛け部３０がリング形状であるため、掛けた指先がリンク部から外れ難く、確実に操作を行うことができる。また、本実施形態においても、前述した第１の実施形態と同等の作用効果を奏することができる。
【００３７】
［第５の実施形態］
図７には、第５の実施形態に係る管路開閉装置２９の可動範囲制限部３１の外観構成例を示している。  
本実施形態の可動範囲制限部３１は、図１に示す構成部位と同じ構成部位に対しては、同じ参照符号を付し、技術的特徴となる異なる構成部位について詳細に説明する。
【００３８】
可動範囲制限部３１は、回動範囲を規定する固定ピン３１ａ，３１ｂと、ストッパピン３１ｃとで構成される。操作レバー１６は、固定ピン３１ａ，３１ｂで、栓部２４による全開状態又は、全閉状態の使用を想定している。
【００３９】
このため、固定ピン３１ａ，３１ｂは、前述した第１の実施形態の可動範囲制限部と同様に、栓部２４が例えば、９０°回転して、流路２５がＴ型管１７及び接続管１５の流路を連通させる又は塞ぐために、栓部２４の回動角度においても同様に、０°〜９０°の範囲に設定している。尚、ストッパピン３１ｃが固定ピン３１ａと固定ピン３１ｂの間にある場合は、Ｔ型管１７及び接続管１５の流路の開口面に対して、栓部２４の回動した角度に応じて流路２５の開口面が増減しているため、吸引量が調整可能である。
【００４０】
本実施形態によれば、簡易な構成で可動範囲制限部３１を構成することができる。
［第６の実施形態］  
図８Ａは、第６の実施形態に係る管路開閉装置の可動範囲制限部の外観構成例を示す図、図８Ｂは、管路開閉装置を上方から見た断面構成を示す図である。  
本実施形態の可動範囲制限部３２は、図１に示す構成部位と同じ構成部位に対しては、同じ参照符号を付し、技術的特徴となる異なる構成部位について詳細に説明する。
【００４１】
可動範囲制限部３２は、切替部本体１４に扇形の平面を有る溝と、溝内に配置される栓部２４の突起部２４ｂとで構成される。この溝は、孔１４ａに繋がる扇形の平面を有し、両側の制限壁３２ａ，３２ｂにより突起部２４ｂの可動範囲を制限する。
【００４２】
可動範囲制限部３２は、第１の実施形態と同様に、例えば、制限壁３２ａに突起部２４ｂが当接した際に、栓部２４の流路２５と、Ｔ型管１７及び接続管１５の流路を繋ぐことで、貫通流路を形成して最大限の吸引量を可能とする。また、制限壁３２ｂに当接した際に、栓部２４が回動して流路２５が形成されていない栓周面で、Ｔ型管１７及び接続管１５の流路を塞ぐことで、流路が遮断される。  
本実施形態によれば、前述した第１の実施形態と同等な作用効果を奏する。さらに、切替部本体１４の上面と同一面の高さで平坦に構成できる。
【符号の説明】
【００４３】
１…内視鏡本体、２…トロリー、３…操作部、４…挿入部、５…湾曲部、６…ユニバーサルコード、７…内視鏡用機器、８…吸引ユニット、１０…ボトル、１１…管路開閉装置、１２…接続部、１３…鉗子栓、１４…切替部本体、１４ａ…孔、１４ｂ…流入口側、１４ｃ…流出口側、１５…接続管、１５ａ…差し込み部、１６…操作レバー、１６ａ…主レバー部、１６ｂ…副レバー部、１６ｃ…基部、１６ｄ…指当部、１７…Ｔ型管、１７ａ…分岐管、２１…外部吸引ポンプ、２２…吸引チューブ、２４…栓部、２４ａ…鍔部、２４ｂ…突起部、２５…流路、２６…可動範囲制限部、２６ａ，２６ｂ…制限壁。
【要約】
操作部の近傍まで操作レバーが張り出した構成の管路開閉部を操作部に取り付けることで、操作者自身が操作部を把持する手を離さずに、操作レバーを操作する管路開閉装置である。【図１】
0005953455.tif 000002
【図２】
0005953455.tif 000003
【図３】
0005953455.tif 000004
【図４】
0005953455.tif 000005
【図５】
0005953455.tif 000006
【図６】
0005953455.tif 000007
【図７】
0005953455.tif 000008
【図８Ａ】
0005953455.tif 000009
【図８Ｂ】
0005953455.tif 000010